(57)【要約】【課題】靴やスリッパなどの履物の足を挿入する部分を殺菌する中敷きおよび履物を提供する。【解決手段】中敷き１０内にバッテリ１２からの直流電源により紫外線を発光させる紫外線発光部１１が配置されている。また、中敷き１０は足１３の親指１６の位置に対応する表面にスイッチ１７が配置されている。足１３の親指１６でスイッチ１７を所定の時間押し続けるとスイッチ１７はオンになり、紫外線発光回路１５が作動し、紫外線発光部１１は紫外線を発光する。発光した紫外線は足指の付け根近辺１４を照射し、その周辺を殺菌する。紫外線の発光を止める際は、足１３の親指１６でスイッチ１７を所定の時間押し続けるとスイッチ１７はオフになり、紫外線発光部１１の発光は止まる。【選択図】        図１
2005052274.tif 000002
【特許請求の範囲】
【請求項１】
靴内に配置される中敷きであって、前記中敷きの表面に紫外線発光部を有することを特徴とする中敷き。
【請求項２】
前記紫外線発光部は足指の付け根近辺に対応する位置に配置されたことを特徴とする請求項１に記載の中敷き。
【請求項３】
前記紫外線発光部は略Ｕ字型であることを特徴とする請求項１または請求項２に記載の中敷き。
【請求項４】
前記紫外線発光部は紫外線ランプであることを特徴とする請求項１から請求項３のいずれかに記載の中敷き。
【請求項５】
前記中敷きの足指の位置に対応する表面に前記紫外線発光部を駆動するためのスイッチが配置され、前記スイッチは所定の時間押し続けることにより作動することを特徴とする請求項１から請求項４のいずれかに記載の中敷き。
【請求項６】
前記紫外線発光部はバッテリを電源とする紫外線発光回路に接続され、前記スイッチの作動により前記紫外線発光回路を駆動させて紫外線を発光することを特徴とする請求項１から請求項５のいずれかに記載の中敷き。
【請求項７】
前記バッテリが一次電池であることを特徴とする請求項６に記載の中敷き。
【請求項８】
前記バッテリが二次電池であり、さらに、前記二次電池を充電する充電端子を具備することを特徴とする請求項６に記載の中敷き。
【請求項９】
本体と底部からなる履物の前記底部表面に紫外線発光部を有することを特徴とする履物。
【請求項１０】
前記紫外線発光部は足指の付け根近辺に対応する位置に配置されたことを特徴とする請求項９に記載の履物。
【請求項１１】
前記紫外線発光部は略Ｕ字型であることを特徴とする請求項９または請求項１０に記載の履物。
【請求項１２】
前記紫外線発光部は紫外線ランプであることを特徴とする請求項９から請求項１１のいずれかに記載の履物。
【請求項１３】
前記中敷きの足指の位置に対応する表面に前記紫外線発光部を駆動するためのスイッチが配置され、前記スイッチは所定の時間押し続けることにより作動することを特徴とする請求項９から請求項１２のいずれかに記載の履物。
【請求項１４】
前記紫外線発光部はバッテリを電源とする紫外線発光回路に接続され、前記スイッチの作動により前記紫外線発光回路を駆動させて紫外線を発光することを特徴とする請求項９から請求項１３のいずれかに記載の履物。
【請求項１５】
前記バッテリが一次電池であることを特徴とする請求項１４に記載の履物。
【請求項１６】
前記バッテリが二次電池であり、さらに、前記二次電池を充電する充電端子を具備することを特徴とする請求項１４に記載の履物。
【請求項１７】
履物の本体と底部が別体で構成され、前記底部が前記本体に対して着脱自在であることを特徴とする請求項９に記載の履物。
【発明の詳細な説明】
【技術分野】
【０００１】
本発明は、靴やスリッパなどの履物における足を挿入する空間を殺菌することができる中敷きおよび履物に関する。
【背景技術】
【０００２】
靴等の周囲構成としての外底や側面は、水の浸入を防ぐため、プラスチックや弾性体などの通気、換気性が十分とは言えない素材にて構成されている。そのために、足の発汗作用により、靴内部の湿度が上昇して足が蒸れ、不快感を与えることになる。さらに、足を囲むこのような環境では細菌が発生、生育しやすく、足が不快であるにとどまらす、水虫などの白癬菌に感染することがある。
このため、従来、歩行時における人体の自重の変動を利用して駆動するエアポンプを靴底や中敷きに装着し、通気・換気を行うタイプの靴が開発されていた。このような靴の換気装置が、例えば特許文献１に記載されている。
また、靴の中敷きを構成する上敷材と下敷材の間に銅板を介在させ、銅板の銅イオンにより防菌、抗菌、制汗作用を持たせたものが特許文献２に記載されている。
【特許文献１】特開平９−２０１２０９号公報
【特許文献２】特開平９−９８８０５号公報
【発明の開示】
【発明が解決しようとする課題】
【０００３】
しかしながら、従来技術のエアポンプ靴底形の靴は、エアポンプの排出量がかかとと靴底や中敷きに接合する面積では限界があるので、１日に約コップ半分の汗をかくと言われる足の換気には不十分である。また、細菌の発生、生育はエアポンプによる換気では十分に防止することはできない。
また、靴の中敷き内部に設けた銅板の銅イオンによる防菌、抗菌、制汗作用では、ある程度細菌の発生、生育を減少させることはできるが、水虫菌などの白癬菌の感染予防や防臭には不十分である。
【０００４】
したがって、本発明の目的は、靴やスリッパなどの履物の足を挿入する部分を効果的に殺菌して白癬菌やその他の各種細菌の発生や生育を防止する中敷きおよび履物を提供するものである。
また、各種細菌に起因する悪臭の発生を防止する中敷きおよび履物を提供するものである。
【課題を解決するための手段】
【０００５】
請求項１記載の本発明による中敷きは、前記中敷きの表面に紫外線発光部を有することを特徴とする。
請求項２記載の本発明は、請求項１に記載の中敷きにおいて、前記紫外線発光部は足指の付け根近辺に対応する位置に配置されたことを特徴とする。
請求項３記載の本発明は、請求項１または請求項２に記載の中敷きにおいて、前記紫外線発光部は略Ｕ字型であることを特徴とする。
請求項４記載の本発明は、請求項１から請求項３のいずれかに記載の中敷きにおいて、前記紫外線発光部は紫外線ランプであることを特徴とする。
請求項５記載の本発明は、請求項１から請求項４のいずれかに記載の中敷きにおいて、前記中敷きの足指の位置に対応する表面に前記紫外線発光部を駆動するためのスイッチが配置され、前記スイッチは所定の時間押し続けることにより作動することを特徴とする。
請求項６記載の本発明は、請求項１から請求項５のいずれかに記載の中敷きにおいて、前記紫外線発光部はバッテリを電源とする紫外線発光回路に接続され、前記スイッチの作動により前記紫外線発光回路を駆動させて紫外線を発光することを特徴とする。
請求項７記載の本発明は、請求項６に記載の中敷きにおいて、前記バッテリが一次電池であることを特徴とする。
請求項８記載の本発明は、請求項６に記載の中敷きにおいて、前記バッテリが二次電池であり、さらに、前記二次電池を充電する充電端子を具備することを特徴とする。
請求項９記載の本発明の履物は、本体と底部からなる履物の前記底部表面に紫外線発光部を有することを特徴とする。
請求項１０記載の本発明は、請求項９に記載の履物において、前記紫外線発光部は足指の付け根近辺に対応する位置に配置されたことを特徴とする。
請求項１１記載の本発明は、請求項９または請求項１０に記載の履物において、前記紫外線発光部は略Ｕ字型であることを特徴とする。
請求項１２記載の本発明は、請求項９から請求項１１のいずれかに記載の履物において、前記紫外線発光部は紫外線ランプであることを特徴とする。
請求項１３記載の本発明は、請求項９から請求項１２のいずれかに記載の履物において、前記中敷きの足指の位置に対応する表面に前記紫外線発光部を駆動するためのスイッチが配置され、前記スイッチは所定の時間押し続けることにより作動することを特徴とする。
請求項１４記載の本発明は、請求項９から請求項１３のいずれかに記載の履物において、前記紫外線発光部はバッテリを電源とする紫外線発光回路に接続され、前記スイッチの作動により前記紫外線発光回路を駆動させて紫外線を発光することを特徴とする。
請求項１５記載の本発明は、請求項１４に記載の履物において、前記バッテリが一次電池であることを特徴とする。
請求項１６記載の本発明は、請求項１４に記載の履物において、前記バッテリが二次電池であり、さらに、前記二次電池を充電する充電端子を具備することを特徴とする。
請求項１７記載の本発明は、請求項９に記載の履物において、履物の本体と底部が別体で構成され、前記底部が前記本体に対して着脱自在であることを特徴とする。
【発明の効果】
【０００６】
本発明によれば、靴やスリッパなどの履物の足を挿入する部分を効果的に殺菌して白癬菌やその他の各種細菌の発生や生育を防止することができる。
また、各種細菌に起因する悪臭の発生を防止することができる。
【発明を実施するための最良の形態】
【０００７】
本発明の第１の実施の形態は、靴内に配置される中敷きの表面に紫外線発光部を有するものである。本実施の形態によれば、紫外線発光部が発光する紫外線により中敷きを敷いた靴などの履物内を殺菌して白癬菌などの各種細菌の発生と生育を防止することができる。また、各種細菌に起因する悪臭を防止することができる。
本発明の第２の実施の形態は、第１の実施の形態による中敷きにおいて、紫外線発光部を足指の付け根近辺に対応する位置に配置したものである。本実施の形態によれば、足の水虫が発生しやすい部位を効果的に殺菌することができる。
本発明の第３の実施の形態は、第１または第２の実施の形態による中敷きにおいて、紫外線発光部を略Ｕ字型としたものである。本実施の形態によれば、紫外線発光部の形状が足の水虫が発生しやすい部位に対応した形状に対応するので、足の水虫が発生しやすい部位を一層効果的に殺菌することができる。
本発明の第４の実施の形態は、第１から第３のいずれかの実施の形態による中敷きにおいて、紫外線発光部を紫外線ランプで構成したものである。本実施の形態によれば、紫外線発光強度を大きくすることができるので、靴などの履物内の殺菌を効果的に行うことができる。
本発明の第５の実施の形態は、第１から第４のいずれかの実施の形態による中敷きにおいて、足指の位置に対応する表面に紫外線発光部を駆動する長押しスイッチを配置したものである。本実施の形態によれば、中敷きを敷いた履物を履いたまま足指の操作により紫外線を自在に発光させることができる。
本発明の第６の実施の形態は、第１から第５のいずれかの実施の形態による中敷きにおいて、紫外線発光部をバッテリを電源として駆動するものである。本実施の形態によれば、紫外線発光部を発光させる回路系を簡単かつ小型にすることができる。
本発明の第７の実施の形態は、第６の実施の形態による中敷きにおいて、バッテリを一次電池としたものである。本実施の形態によれば、紫外線発光部を発光させる電源を安価に構成することができる。
本発明の第８の実施の形態は、第６の実施の形態による中敷きにおいて、バッテリを二次電池とし、この二次電池を充電する充電端子を備えたものである。本実施の形態によれば、バッテリの寿命が終了した場合に充電端子から充電することによりバッテリの電圧を回復することができる。
本発明の第９の実施の形態は、本体と底部からなる履物の底部表面に紫外線発光部を有するものである。本実施の形態によれば、紫外線発光部が発光する紫外線により履物内を殺菌して白癬菌などの各種細菌の発生と生育を防止することができる。また、各種細菌に起因する悪臭を防止することができる。
本発明の第１０の実施の形態は、第９の実施の形態による履物において、紫外線発光部を足指の付け根近辺に対応する位置に配置したものである。本実施の形態によれば、足の水虫が発生しやすい部位を効果的に殺菌することができる。
本発明の第１１の実施の形態は、第９または第１０の実施の形態による履物において、紫外線発光部を略Ｕ字型としたものである。本実施の形態によれば、紫外線発光部の形状が足の水虫が発生しやすい部位に対応した形状に対応するので、足の水虫が発生しやすい部位を一層効果的に殺菌することができる。
本発明の第１２の実施の形態は、第９から第１１のいずれかの実施の形態による履物において、紫外線発光部を紫外線ランプで構成したものである。本実施の形態によれば、紫外線発光強度を大きくすることができるので、履物内の殺菌を効果的に行うことができる。
本発明の第１３の実施の形態は、第９から第１２のいずれかの実施の形態による履物において、足指の位置に対応する表面に紫外線発光部を駆動する長押しスイッチを配置したものである。本実施の形態によれば、履物を履いたまま足指の操作により紫外線を自在に発光させることができる。
本発明の第１４の実施の形態は、第９から第１３のいずれかの実施の形態による履物において、紫外線発光部をバッテリを電源として駆動するものである。本実施の形態によれば、紫外線発光部を発光させる回路系を簡単かつ小型にすることができる。
本発明の第１５の実施の形態は、第１４の実施の形態による履物において、バッテリを一次電池としたものである。本実施の形態によれば、紫外線発光部を発光させる電源を安価に構成することができる。
本発明の第１６の実施の形態は、第１４の実施の形態による履物において、バッテリを二次電池とし、この二次電池を充電する充電端子を備えたものである。本実施の形態によれば、バッテリの寿命が終了した場合に充電端子から充電することによりバッテリの電圧を回復することができる。
本発明の第１７の実施の形態は、第９の実施の形態による履物において、履物の本体と底部を別体で構成し、底部を本体に対して着脱自在としたものである。本実施の形態によれば、バッテリの寿命が終了した場合や底部が損傷した場合に、本体から底部を取り外し、底部のみを新しいものに交換して使用することができる。また、底部の交換時に本体をクリーニングすれば常に新品同様に使用することができる。
【実施例】
【０００８】
以下、本発明の実施例について図面に基づいて説明する。
図１は、本発明による一実施例の中敷きと靴内の右足との位置関係を示す概略図である。
中敷き１０内に、紫外線を発光する紫外線発光部１１、バッテリ１２および紫外線発光回路１５が埋め込まれている。紫外線発光部１１は、中敷き１０を靴内に設置したとき、足指の付け根近辺１４に対向した位置に配置され、足指の付け根近辺１４に紫外線が照射されるように照射面が中敷き１０の表面に露出して配される。この場合、紫外線発光部１１の照射面を中敷き１０の表面に直接露出させてもよいが、紫外線発光部１１が足１３で踏まれて損傷することもあるので、紫外線透過率の高い保護膜（図示せず）で覆って保護する事が好ましい。保護膜を形成した場合は紫外線発光部１１に塵埃が浸入したり付着したりすることを防止することができる。
バッテリ１２からの直流電圧で駆動される紫外線発光回路１５により紫外線発光電圧が供給されて紫外線を発光する。紫外線発光部１１としては紫外線ランプが好適であるが、紫外線成分を放射する発光ダイオードなども使用可能である。
中敷き１０の先端部には、足１３の足指、たとえば親指１６の位置に対応する位置にスイッチ１７が設けられている。スイッチ１７はオンオフする際に所定の時間押し続けたときに作動する長押しスイッチで、スイッチをオンしたいときはスイッチオフの状態で所定時間、たとえば３秒間押し続けるとオンする。同様にスイッチをオフにするには、スイッチオンの状態で所定時間、たとえば３秒間押し続けるとオフされる。
【０００９】
図２は、図１における中敷き１０の平面図である。一般に、水虫は足の指、指の股および指の付け根近辺に発生することが多い。そこで、紫外線発光部１１は、図２に示すように、中敷き１０に足が載せられたときの足指の付け根近辺１４に対応する位置に対向するように配置される。この場合、紫外線発光部１１は足の５指に全て跨るように略Ｕ字型の形状にして中敷き１０の表面に埋め込まれる。
【００１０】
次に動作を説明する。靴（図示せず）内に中敷き１０を敷いた状態で靴内に足１３を挿入して履く。歩行時は親指１６を含む足指部および踵が支点になって歩行するので親指１６がスイッチ１７を押すことはあるが、歩行中に親指１６がスイッチ１７を所定時間押し続けることはないので紫外線発光回路１５が作動することはなく、通常の歩行が可能である。走っている場合も同様である。また、立っている場合は、つま先立ちの場合以外は親指１６がスイッチ１７を所定時間押し続けることはないので同様に紫外線発光回路１５が作動することはない。座っている場合も親指１６がスイッチ１７を所定時間押し続けることはないので紫外線発光回路１５が作動することはない。したがって、通常の中敷きと同様に使用することができる。
【００１１】
紫外線発光回路１５を作動させて紫外線発光部１１から紫外線を照射させたい場合は、親指１６でスイッチ１７を所定の時間、たとえば３秒間押し続ける。すると、スイッチ１７がスイッチオンし、バッテリ１２により紫外線発光回路１５を作動させる。紫外線発光回路１５はバッテリ１２の直流電圧により紫外線発光部１１から紫外線を発光させるに必要な電圧を発生させ、紫外線発光部１１から紫外線を発光させる。
発光した紫外線は足指の付け根近辺１４を照射し、その付近を中心に殺菌する。したがって、水虫菌などの白癬菌が死滅し水虫などの感染を防止することができる。また、殺菌作用により種々の細菌が死滅するので細菌に起因する悪臭も防止することができる。
紫外線発光部１１からの紫外線発光を中止したい場合は、親指１６でスイッチ１７を所定時間押し続ければスイッチ１７がオフになり、紫外線発光回路１５もオフになって紫外線発光は止まる。
【００１２】
親指１６でスイッチ１９を所定時間押し続ける動作は、歩行中や立っているときはもちろん、室内で椅子に座っているときや、電車、バス、自動車などの乗り物内で座っている場合でも任意に可能なので、中敷き１０を敷いた履物を履いている間はいつでもどこでも紫外線による殺菌作用を働かせることができる。
なお、中敷き１０を交換するときは通常全体が交換されるので、バッテリ１２としては一次電池を使用すればよく、バッテリ１２の寿命が終わったら中敷き１０ごと新しいものに交換すればよい。もちろんバッテリ１２を中敷き１０から着脱自在とし、バッテリ１２のみを交換することも可能である。また、バッテリ１２として二次電池を使用し、中敷き１０にさらにバッテリ充電用の端子を設けて家庭用コンセントで充電するようにすることもできる。
なお、以上の説明では、中敷きを右足用で説明したが、左足用の場合でも同様に構成することができる。また、スイッチ１７の位置を親指１６に対応した位置に設けた場合について説明したが、他の足指に対応させた位置に設けてその指でスイッチ１７を操作するようにしてもよい。
【００１３】
次に、図３により本発明による他の実施例について説明する。水虫等の感染は、本人が気をつけていても他人から感染することがしばしばある。通常靴は使用者本人以外に他人が使用することはないので、本人が気をつけていれば他人から感染することはない。しかし、スリッパは医療機関や宿泊施設などで多くの人が共用することがある。したがって、水虫に感染している人が使用したスリッパを他の人が使用した場合、その人に水虫が感染してしまうことは皆無ではない。図３はこのような点を考慮して、紫外線発光回路をスリッパに直接埋め込んだ実施例である。
図３は、スリッパと右足との位置関係を示す概略側面図である。スリッパ２０は本体２１と底部２２が別体で構成されており、両者は面ファスナーなどにより着脱自在に取り付けられる。底部２２内には紫外線発光部２３、紫外線発光回路２５およびバッテリ２６が埋め込まれている。紫外線発光部２３、紫外線発光回路２５およびバッテリ２６は、図１における紫外線発光部１１、紫外線発光回路１５およびバッテリ１２と同様な構成である。
一方、本体２１には、スリッパ２０を履いたときに足の親指に対応する位置にスイッチ２４が設けられている。スイッチ２４は、図１におけるスイッチ１７と同様の長押しスイッチで、本体２１と底部２２が一体化されたときに底部２２内のバッテリ２６に接続してバッテリ２６と紫外線発光回路２５の接続をオン、オフする接続端子を有している。
本体２１と底部２２を一体化した状態では通常のスリッパ２０として使用される。このスリッパ２０を履いた状態で、足の親指でスイッチ２４を所定の時間、たとえば３秒間押し続けるとスイッチ２４がオンとなり、紫外線発光回路２５がバッテリ２６からの直流電圧により紫外線を発光させるのに必要な電圧を発生させ、紫外線発光部２３から紫外線を発光させる。動作の詳細および作用効果は図１と同様であるので説明は省略する。
【００１４】
本実施例によれば、本体２１と底部２２が別体で構成されているので、バッテリ２６の寿命が来た場合は、本体２１から底部２２を取り外し、底部２２のみを新しいものに交換して使用することができる。この場合は、メンテナンスを考慮すると、バッテリ２６は二次電池であるほうが好ましいが、もちろん一次電池であってもよい。また、底部２２の交換時に本体２１をクリーニングすれば常に新品同様に使用することができる。
なお、本実施例では履物としてスリッパを例に説明したが、靴やサンダル、ミュールなどその他の履物にも適用することができる。
本実施例においても履物を右足用で説明したが、左足用の場合でも同様に構成することができる。また、スイッチ２４の位置を親指に対応した位置に設けた場合について説明したが、他の指に対応させた位置に設けてその指でスイッチ２４を操作するようにしてもよい。
【産業上の利用可能性】
【００１５】
スリッパ、靴、サンダル、ミュール、その他の履物、これらの中敷きに適用することができる。
【図面の簡単な説明】
【００１６】
【図１】本発明による一実施例の中敷きと靴内の右足との位置関係を示す概略側面図
【図２】図１における中敷きの平面図
【図３】本発明による他の実施例における履物と右足との位置関係を示す概略側面図
【符号の説明】
【００１７】
１０  中敷き
１１  紫外線発光部
１２  バッテリ
１３  足
１４  足指の付け根近辺
１５  紫外線発光回路
１６  親指
１７  スイッチ
２０  スリッパ
２１  本体
２２  底部
２３  紫外線発光部
２４  スイッチ
２５  紫外線発光回路
２６  バッテリ
【図１】
2005052274.tif 000003
【図２】
2005052274.tif 000004
【図３】
2005052274.tif 000005